(57)【要約】【課題】遊技者の興趣を低下させることなく、遊技に対する期待感を持ちつつ遊技を行わせることのできる遊技機を提供する。【解決手段】  遊技球が流下する遊技領域１６に第１始動入賞装置３３を設け、第１始動入賞装置３３は、遊技球が入球可能な第１入球口７０と、第１入球口７０から入球した遊技球が第１始動入賞口１２に向けて流下する第１流下経路Ｒ１と、第１入球口７０から入球した遊技球が第２始動入賞口１２３に向けて流下する第２流下経路Ｒ２と、第１入球口７０よりも下流に設けられ、第１入球口７０から入球した遊技球が流下する経路を第１流下経路Ｒ１又は第２流下経路Ｒ２に振り分ける振分体９４と、振分体９４よりも下流に設けられ、遊技球が入球可能な大きさに形成された第２入球口７１とを備えた。【選択図】図５
2015073683.tif 000002
【特許請求の範囲】
【請求項１】
遊技球が流下する遊技領域に始動入賞装置を設けた遊技機であって、
前記始動入賞装置は、
前記遊技球が入球可能な第１入球口と、
前記第１入球口から入球した前記遊技球が第１始動入賞口に向けて流下する第１流下経路と、
前記第１入球口から入球した前記遊技球が第２始動入賞口に向けて流下する第２流下経路と、
前記第１入球口よりも下流に設けられ、前記第１入球口から入球した前記遊技球が流下する経路を前記第１流下経路又は第２流下経路に振り分ける振分体と、
前記振分体よりも下流に設けられ、前記遊技球が入球可能な大きさに形成された第２入球口とを備えたことを特徴とする遊技機。
【請求項２】
振分体は、
遊技球を受入可能に形成された第１受入部と、前記遊技球を受入可能に形成された第２受入部とを有し、第１入球口から入球した前記遊技球を前記第１受入部に受け入れて、前記第１受入部に受け入れた前記遊技球を前記第１始動入賞口へ案内する第１姿勢と、前記第１入球口から入球した前記遊技球を前記第２受入部に受け入れて、前記第２受入部に受け入れた前記遊技球を前記第２始動入賞口へ案内する第２姿勢との間で変位するように構成されている請求項１記載の遊技機。
【請求項３】
振分体は、第１球受け片と、第２球受け片と、前記第１球受け片及び第２球受け片の間に形成された中間球受け片と、第１姿勢と第２姿勢との間で前記振分体を回動させる回動軸部とを有し、第１受入部は前記第１球受け片と前記中間球受け片との間に形成され、第２受入部は前記第２球受け片と前記中間受け片との間に形成されている請求項２記載の遊技機。
【請求項４】
振分体は、前記振分体が第１姿勢を超える位置又は第２姿勢を超える位置への回動を規制するための規制部を有する請求項２又は３記載の遊技機。
【請求項５】
振分体は、前記振分体が少なくとも第１姿勢又は第２姿勢を維持する維持部材を備えている請求項２〜４のいずれかに記載の遊技機。
【請求項６】
振分体は、第１入球口から入球した遊技球を第１流下経路と第２流下経路とに交互に振り分ける請求項１〜５のいずれかに記載の遊技機。
【発明の詳細な説明】
【技術分野】
【０００１】
本発明は、遊技盤に形成された遊技領域に始動入賞装置を備えた遊技機に関する。
【背景技術】
【０００２】
従来から、パチンコ機をはじめとする各種の遊技機が知られている。一般に、パチンコ機と呼ばれる遊技機には、遊技盤に形成された遊技領域に始動入賞装置が設けられている。遊技機は、始動入賞装置に形成されている始動入賞口に遊技球が入賞したことを契機として、遊技者に不利な通常遊技状態で以降の遊技を行うか、又は遊技者に有利な特別遊技状態で遊技を行うかを抽選する大当り抽選を行う。近年では、始動入賞装置としては、一つの始動入賞口を有するものだけではなく、第１始動入賞口及び第２始動入賞口と言うような複数の始動入賞口を有するものが知られている。このような第１始動入賞口及び第２始動入賞口を有する始動入賞装置の場合、第１始動入賞口は遊技領域内において常時開口し、第２始動入賞口は、該第２始動入賞口に開閉自在に設けられている羽根部材等によって開閉されるように構成されている（例えば、特許文献１）。
【０００３】
特許文献１に記載されている遊技機は、通常遊技状態では第２始動入賞口は羽根部材によって閉じられており、主に第１始動入賞口に遊技球を入賞させることができる。そして、第１始動入賞口に遊技球が入賞した後の大当り抽選に当選すると、遊技状態が通常遊技状態から特別遊技状態（以下、第１始動入賞口に遊技球が入賞したことによる特別遊技状態を「第１特別遊技状態」と言う。）へ移行する。第１特別遊技状態が終了した後の遊技状態では、羽根部材が開放しやすくなったり、又は羽根部材を通常よりも長い時間開放すると言うような入球率向上状態が付与され、先の通常遊技状態での場合よりも、第２始動入賞口へ遊技球が入賞しやすい状態となる。そして、第２始動入賞口へ遊技球が入賞し、その後の大当り抽選に当選すると、遊技状態が特別遊技状態（以下、第２始動入賞口に遊技球が入賞したことによる特別遊技状態を「第２特別遊技状態」と言う。）へ移行する。
【０００４】
特許文献１に記載されている遊技機では、第１始動入賞口への遊技球の入賞による大当り抽選の当選確率及び確率変動の確率、並びに第２始動入賞口への遊技球の入賞による大当り抽選の当選確率及び確率変動の確率は同じに設定されている。しかし、第１始動入賞口に遊技球が入賞した時と第２始動入賞口に遊技球が入賞した時とでは、特別遊技状態中に行われる遊技のラウンド数が異なるように設定されている場合がある。特許文献１に記載されている遊技機の場合は、第１始動入賞口に遊技球が入賞した場合には、ラウンド数の少ない遊技（例えば２ラウンド）を行う確率がラウンド数の多い遊技（例えば１５ラウンド）を行う確率よりも高くなるように設定されているのに対し、第２始動入賞口に遊技球が入賞した場合には、ラウンド数の少ない遊技を行う確率がラウンド数の多い遊技を行う確率よりも低くなるように設定されている。
【先行技術文献】
【特許文献】
【０００５】
【特許文献１】特開２００７−０７５２１７号公報
【発明の概要】
【発明が解決しようとする課題】
【０００６】
遊技者は、通常は多くの賞球を獲得することを期待しながら遊技を行っているため、より多くの賞球を獲得できる確率が高い第２始動入賞口へ遊技球を入賞させるように遊技を行うことを望んでいる。しかし、特許文献１に記載されている遊技機は、最初の通常遊技状態においては第２始動入賞口に遊技球を入賞させることが難しく、一度特別遊技状態へ移行させた後でなければ第２始動入賞口へ遊技球を入賞させることが難しかった。一般に、遊技機においては、通常遊技状態における大当り抽選の確率も低く設定されていることが多く、遊技者はまず大当り抽選に当選させなければならないため、入球率向上状態が付与された遊技状態へ移行させるまでの間に、遊技の興趣を低下させてしまうおそれがあった。
【０００７】
また、遊技者は、特別遊技状態へ移行した時は、多くの賞球を獲得することができるという期待感を持って遊技を行う。しかし、特許文献１に記載されている遊技機は、入球率向上状態が付与される前に行われる特別遊技状態において、ラウンド数の少ない遊技を行う確率が高く設定されているため、遊技者が期待していたほどの賞球を獲得できずに特別遊技状態が終了してしまうこともある。このことによっても遊技者の興趣を低下させてしまうおそれがあった。
【０００８】
本発明は、このような問題点に鑑みてなされたものであり、遊技者の興趣を低下させることなく、遊技に対する期待感を持ちつつ遊技を行わせることのできる遊技機を提供することを目的とする。
【課題を解決するための手段】
【０００９】
本発明は、
（１）遊技球が流下する遊技領域に始動入賞装置を設けた遊技機であって、前記始動入賞装置は、前記遊技球が入球可能な第１入球口と、前記第１入球口から入球した前記遊技球が第１始動入賞口に向けて流下する第１流下経路と、前記第１入球口から入球した前記遊技球が第２始動入賞口に向けて流下する第２流下経路と、前記第１入球口よりも下流に設けられ、前記第１入球口から入球した前記遊技球が流下する経路を前記第１流下経路又は第２流下経路に振り分ける振分体と、前記振分体よりも下流に設けられ、前記遊技球が入球可能な大きさに形成された第２入球口とを備えたことを特徴とする遊技機、
（２）振分体は、遊技球を受入可能に形成された第１受入部と、前記遊技球を受入可能に形成された第２受入部とを有し、第１入球口から入球した前記遊技球を前記第１受入部に受け入れて、前記第１受入部に受け入れた前記遊技球を前記第１始動入賞口へ案内する第１姿勢と、前記第１入球口から入球した前記遊技球を前記第２受入部に受け入れて、前記第２受入部に受け入れた前記遊技球を前記第２始動入賞口へ案内する第２姿勢との間で変位するように構成されている上記（１）記載の遊技機、
（３）振分体は、第１球受け片と、第２球受け片と、前記第１球受け片及び第２球受け片の間に形成された中間球受け片と、第１姿勢と第２姿勢との間で前記振分体を回動させる回動軸部とを有し、第１受入部は前記第１球受け片と前記中間球受け片との間に形成され、第２受入部は前記第２球受け片と前記中間受け片との間に形成されている上記（２）記載の遊技機、
（４）振分体は、前記振分体が第１姿勢を超える位置又は第２姿勢を超える位置への回動を規制するための規制部を有する上記（２）又は（３）記載の遊技機、
（５）振分体は、前記振分体が少なくとも第１姿勢又は第２姿勢を維持する維持部材を備えている上記（２）〜（４）のいずれかに記載の遊技機、
（６）振分体は、第１入球口から入球した遊技球を第１流下経路と第２流下経路とに交互に振り分ける上記（１）〜（５）のいずれかに記載の遊技機、
を要旨とする。
【発明の効果】
【００１０】
本発明によれば、第１入球口から入球した遊技球を振分体によって第１流下経路と第２流下経路とに振り分けるので、通常遊技状態であっても、第１始動入賞口又は第２始動入賞口に遊技球を入賞させることができ、第１特別遊技状態又は第２特別遊技状態へ移行させることができる。したがって、遊技者の興趣を低下させることなく、遊技に対する期待感を持たせつつ遊技者に遊技を行わせることが可能になる。
【図面の簡単な説明】
【００１１】
【図１】本発明の実施の形態に係る遊技機の正面図である。
【図２】始動入賞装置の外観斜視図である。
【図３】始動入賞装置の正面側からの分解斜視図である。
【図４】始動入賞装置の裏面側からの分解斜視図である。
【図５】始動入賞装置の正面図である。
【図６】始動入賞装置の作用効果を説明するための説明図である。
【図７】始動入賞装置の作用効果を説明するための説明図である。
【発明を実施するための形態】
【００１２】
本発明に係る遊技機の実施の形態について、図面を用いて具体的に説明する。なお、本明細書では、本発明に係る遊技機の例としてパチンコ遊技機（以下、単に遊技機と言う。）を用いて説明するが、本発明はパチンコ遊技機以外の遊技機にも使用することができる。また、本明細書においては、遊技機及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１３】
遊技機の外観構成について説明する。図１に示すように、遊技機１は、機体の外郭を構成する縦長方形の外枠２を備えている。この外枠２の開口前面側には、縦長方形の中枠３が着脱自材に組み付けられている。中枠３は、全体的に合成樹脂材料を用いて構成されており、内部に遊技盤等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１４】
遊技機１は、遊技盤１１に向けて遊技機１を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９ａ，９ｂ，９ｃが配置されている。また、遊技機１の上部には、音声を出力するためのスピーカ１０が設けられている。
【００１５】
遊技盤１１は、アクリルやポリカーボネート等の合成樹脂材料で略正方形に形成された平板状の部材である。この遊技盤１１の背面側には、裏ユニット（図示せず）がビス等によって取付固定されている。遊技盤１１には、センター役物としての演出装置１２の装飾枠１３を取り付けるための開口部が略中央部に開口形成されている。また、遊技盤１１の表面には、発射装置で弾発された遊技球を遊技盤１１の上部へ案内する案内レール１５が設けられている。また、遊技盤１１には、案内レール１５により遊技盤１１の上部に案内された遊技球が遊技盤１１の下部に向けて流下する遊技領域１６が形成されている。
【００１６】
遊技領域１６には、演出装置１２を視認可能にするとともに装飾枠１３を取り付けるための開口部が略中央部に開口形成されている。また、遊技領域１６には、第１始動入賞装置ユニット２１、大入賞装置２２、通過ゲート２３、第２始動入賞装置ユニット２４等の各種入賞装置ユニット等が設けられている。また、遊技領域１６には、多数の誘導釘２５が打たれている。遊技領域１６を流下する遊技球は、誘導釘２５に当たって流下方向を変化させながら、遊技領域１６の上部から下部に向かって流下する。遊技領域１６を流下する遊技球の一部は、各種入賞装置に設けられている各種入賞口（図示せず）に入賞する。また、遊技領域１６を流下する遊技球のうち、各種入賞口に入賞しなかった遊技球は、遊技領域１６の最下部に設けられた第１アウト口２６又は第１始動入賞装置ユニット２１に形成されている後述する第２アウト口３４に流入する。
【００１７】
第１始動入賞装置ユニット２１は、遊技盤１１において演出装置１２の下方であって該遊技盤１１の左右方向中央よりも左側の案内レール１５寄りにネジ止め等の方法で取付固定されている。
【００１８】
図２に示すように、第１始動入賞装置ユニット２１は、第１始動入賞装置用ベース部材３１、第１普通入賞装置３２、第１始動入賞装置３３及び第２アウト口３４を有しており、これら第１普通入賞装置３２、第１始動入賞装置３３及び第２アウト口３４が第１始動入賞装置用ベース部材３１に設けられて構成されている。また、第１始動入賞装置３３は、遊技領域１６において、後述する第１入球口７０に入球しなかった遊技球が第２アウト口３４の設けられている一方側又は第２アウト口３４の設けられていない他方側のいずれかに誘導され、この他方側に誘導された遊技球が第１アウト口２６に向けて流下するように設けられている。
【００１９】
第１始動入賞装置用ベース部材３１は、第１始動入賞装置ユニット２１を遊技盤１１にネジ止め等によって取付固定するためのもので、所定の形状を有する板状の部材である。この第１始動入賞装置用ベース部材３１には、遊技盤１１に取り付ける際に使用するネジ止め孔３７が貫通形成されている。また、第１始動入賞装置用ベース部材３１には、第１普通入賞装置３２を構成する第１普通入賞口（図示せず）に遊技球を案内する第１普通入賞案内部３８と、後述する始動入賞装置本体６２の振分部９１が導入される振分部導入孔３９と、始動入賞装置本体６２の後述する入賞部９２が導入される入賞部導入孔４０と、第２アウト口３４と、第２アウト口３４へ遊技球を案内する第２アウト口案内部４１とが形成されている。
【００２０】
第１普通入賞案内部３８は、第１始動入賞装置用ベース部材３１の左上部において、該第１始動入賞装置用ベース部材３１の表面から前側に形成されている。この第１普通入賞案内部３８は、上部が開口するＵ字形に形成されており、該第１普通入賞案内部３８の内部において遊技球が流入可能な幅を有するように形成されている。また、この第１普通入賞案内部３８は、流入した遊技球を第１普通入賞口に向けて転動させることができるように形成されている。
【００２１】
振分部導入孔３９及び入賞部導入孔４０は、第１始動入賞装置用ベース部材３１の左右方向略中央部に形成されている。これら振分部導入孔３９及び入賞部導入孔４０は、振分部導入孔３９が入賞部導入孔４０の上方に位置し、入賞部導入孔４０が振分部導入孔３９の下方に位置するように形成されている。振分部導入孔３９は、後述する始動入賞装置本体６２の振分部９１が導入可能な大きさに開口形成されており、入賞部導入孔４０は、始動入賞装置本体６２の入賞部９２が導入可能な大きさに開口形成されている。
【００２２】
第２アウト口３４は、第１始動入賞装置用ベース部材３１の左右方向の中央部よりも右寄りに形成されている。本実施の形態では、第２アウト口３４は、第１始動入賞装置用ベース部材３１の左右方向右寄りに形成されているが、これ以外の場所に形成されていてもよい。第２アウト口３４は、遊技領域１６を流下してきた遊技球が流入可能な大きさに形成されている。また、図５に示すように、第２アウト口３４には、底部４２が形成されている。この底部４２は、第１の面４３と第２の面４４とを備えている。第２の面４４は、第１の面４３よりも高さ方向の位置が低い位置に形成されている。これら第１の面４３と第２の面４４との間には、所定高さを有する段差部４５が形成されている。この第２アウト口３４は、少なくとも、遊技球２個分の幅Ｗ１（図５参照）を有するように形成されている。第２アウト口３４がＷ１の幅を有することで、第２アウト口３４に対して遊技球をスムーズに流入させることができ、第２アウト口３４の周辺における遊技球の球詰まり等を防止することができる。また、第２アウト口３４の奥側には排出口４６が形成されている（図５参照）。排出口４６は、第２アウト口３４に流入した遊技球を遊技盤１１の後ろ側に形成された排出経路（図示せず）に向けて排出するためのものである。この排出口４６は、少なくともＷ２の幅（図５参照）、即ち遊技球１個分の幅寸法を有している。また、排出口４６は、該排出口４６の底面が第２の面４４と同じ位置に位置するように形成されている。
【００２３】
第２アウト口案内部４１は、第２アウト口３４の前側に位置し、第１始動入賞装置用ベース部材３１の表面から前側に向けて、遊技球が転動できる前後方向の幅を有するように形成されている。この第２アウト口案内部４１は、第２アウト口３４の周囲の一部を囲むように形成されている。即ち、第２アウト口案内部４１は、第２アウト口３４の側方に位置するように形成された側壁部４７と、第２アウト口３４の下側に位置するように形成された底壁部４８とが形成されている。側壁部４７は、本実施の形態では第２アウト口３４の右側方に位置するように形成されており、遊技領域１６を流下する遊技球のうち、第１始動入賞口１２１に入賞せずに第２アウト口３４の設けられている一方側に向けて流下する遊技球を第２アウト口３４へ向けて案内するためのものである。底壁部４８は、側壁部４７の下部から左右方向に向けて連続的に形成されている。この底壁部４８は、第２アウト口３４の底部４２と同じ形状になるように形成されている。即ち、この底壁部４８は、遊技球が転動する転動面４９が第１の面５０と第２の面５１とを有し、これら第１の面５０と第２の面５１との間には段差部５２を有するように形成されている。また、第１の面５０は、第２の面５１に向けて下り傾斜するように形成されている。
【００２４】
第１普通入賞装置３２は、遊技球が入賞可能な大きさに形成された第１普通入賞口を有している。遊技球が第１普通入賞口に入賞すると、所定個数（例えば１５個）の賞球が払い出される。第１始動入賞装置３３は、遊技球が入賞可能な大きさに形成された第１始動入賞口１２１及び第２始動入賞口１２３を有している。遊技球が第１始動入賞口１２１又は第２始動入賞口１２３のいずれかに入賞すると、遊技機１において遊技者に有利な特別遊技状態に移行するか否かを抽選する大当り抽選を行うように構成されている。
【００２５】
遊技機１では、第１普通入賞口に遊技球が入賞すると所定個数（例えば１５個）の賞球が払い出され、第１始動入賞口１２１又は第２始動入賞口１２３のいずれかに遊技球が入賞すると遊技機１において遊技者に有利な特別遊技状態に移行するか否かを抽選する大当り抽選を行う。また、第２アウト口３４には、第１始動入賞装置ユニット２１に向けて流下してきて、第１普通入賞口及び第１始動入賞口１２１のいずれにも入賞しなかった遊技球が流入する。大当り抽選の結果は、普通図柄表示装置３５とともに遊技盤１１の下部に設けられている特別図柄表示装置３６で表示する。
【００２６】
図３、図４及び図５に示すように、第１始動入賞装置３３は、前カバー部材６１、第１始動入賞装置本体（以下、「始動入賞装置本体６２」と言う。）、発光基板６３及び裏カバー部材６４を備えており、これらが第１始動入賞装置用ベース部材３１に取付固定されている。
【００２７】
前カバー部材６１は、第１始動入賞装置用ベース部材３１の表面側にネジ止め等によって取付固定されている。前カバー部材６１には、表面側には所定の装飾を施す装飾面６５が形成されている。また、図４に示すように、前カバー部材６１の裏面には、第１上壁部６６、第２上壁部６７、第１下壁部６８、第２下壁部６９、第１入球口７０、第２入球口７１、第３入球口７２、入球空間７３が形成されている。また、前カバー部材６１の裏面には、第１軸受部７４、規制部材支持部７５、第１始動入賞案内部７６、第２始動入賞案内部７７及び送出口７８が形成されている。
【００２８】
第１上壁部６６は、前カバー部材６１の左上側に該前カバー部材６１の裏面から後側に向けて突き出るように形成されている。この第１上壁部６６の上面は、遊技球を案内する第１案内面７９となっている。第２上壁部６７は、前カバー部材６１の右上側に該前カバー部材６１の裏面から後側に向けて突き出るように形成されている。この第２上壁部６７の上面は、遊技球を案内する第２案内面８０となっている。第１下壁部６８は、前カバー部材６１の左下側に該前カバー部材６１の裏面から後側に向けて突き出るように形成されている。この第１下壁部６８には、前カバー部材６１の縁部から該前カバー部材６１の内側に向けて遊技球が流入する際に、該遊技球を案内する第１転動面８１が形成されている。また、第２下壁部６９は、前カバー部材６１の右下側に該前カバー部材６１の裏面から後側に向けて突き出るように形成されている。この第２下壁部６９には、前カバー部材６１の縁部から該前カバー部材６１の内側に向けて遊技球が流入する際に、該遊技球を案内する第２転動面８２が形成されている。
【００２９】
第１入球口７０は、前カバー部材６１の上側に形成されており、上方から流下する遊技球が流入することが可能な幅で上方が開口するように形成されている。本実施の形態では、第１上壁部６６と第２上壁部６７との間に所定の幅を有する空間が形成されており、この空間が第１入球口７０となっている。第２入球口７１は、前カバー部材６１の左側に形成されており、遊技球が流入可能な幅で左側が開口するように形成されている。本実施の形態では、第１上壁部６６と第１下壁部６８との間に所定の空間が形成されており、この空間が第２入球口７１となっている。この第２入球口７１は、後述する振分部材１０１よりも下流側に設けられている。
【００３０】
第３入球口７２は、前カバー部材６１の右側に形成されており、遊技球が流入可能な幅で右側が開口するように形成されている。本実施の形態では、第２上壁部６７と第２下壁部６９との間に所定の空間を形成しており、この空間が第３入球口７２となっている。送出口７８は、前カバー部材６１の下側に形成されており、入球空間７３内を流下する遊技球が第１始動入賞装置３３の外部へ送出することが可能な幅の開口を有するように形成されている。本実施の形態では、第１下壁部６８と第２下壁部６９との間に所定の幅を有する空間が形成されており、この空間が送出口７８となっている。
【００３１】
これら第１入球口７０、第２入球口７１、第３入球口７２及び送出口７８は遊技球が入球可能又は送出可能な大きさに形成されている。なお、本実施の形態では、上記した構成で第１入球口７０、第２入球口７１、第３入球口７２及び送出口７８を形成しているが、これ以外の構成で第１入球口７０、第２入球口７１、第３入球口７２及び送出口７８を形成してもよい。
【００３２】
入球空間７３は、第１上壁部６６、第２上壁部６７、第１下壁部６８及び第２下壁部６９によって囲まれた空間である。この入球空間７３は、第１入球口７０、第２入球口７１又は第３入球口７２のいずれかから入球した遊技球が第１始動入賞案内部７６、第２始動入賞案内部７７又は送出口７８のいずれかに向けて流下等するための空間である。上記した第１軸受部７４、規制部材支持部７５、第１始動入賞案内部７６、第２始動入賞案内部７７は、この入球空間７３内に形成されている。また、入球空間７３には、第１入球口７０から入球した遊技球が第１始動入賞口１２１に向けて流下する第１流下経路Ｒ１（図５参照）と、第１入球口７０から入球した遊技球が第２始動入賞口１２３に向けて流下する第２流下経路Ｒ２（図５参照）と、第１入球口７０から入球した遊技球が送出口７８に向けて流下する第３流下経路Ｒ３（図５参照）が形成されている。なお、後述するが、第１入球口７０から入球した遊技球が第１流下経路Ｒ１を経て第１始動入賞口１２１に入賞するか、第２流下経路Ｒ２を経て第２始動入賞口１２３に入賞するか、又は流下経路Ｒ３を経て送出口７８から送出されるかは、後述する振分部材１０１によって決定される。
【００３３】
第１軸受部７４は、後述する回動軸９０の一端部を支持するためのものであり、この回動軸９０の一端部が挿入支持できる大きさに開口形成されている。本実施の形態では、第１軸受部７４は、前カバー部材６１の裏面から後側に向けて突出させることで形成しているが、これに限定されるものではない。
【００３４】
規制部材支持部７５は、後述する規制部材１０２を支持するためのものである。本実施の形態では、規制部材支持部７５は、第１軸受部７４の下方において、前カバー部材６１の裏面から後側に向けて突出させて形成しているが、規制部材１０２を支持することができれば、この形状に限定されるものではない。
【００３５】
第１始動入賞案内部７６は、第１入球口７０、第２入球口７１又は第３入球口７２のいずれかから入球した遊技球を第１始動入賞口１２１に向けて案内するためのものである。この第１始動入賞案内部７６は、前カバー部材６１の裏面から後側に向けて形成されている。また、第１始動入賞案内部７６は、第１下壁部６８と連続的に形成されている。なお、本実施の形態では、第１始動入賞案内部７６は、第１下壁部６８と連続的に形成されているが、これらは別体として形成されていてもよい。
【００３６】
第２始動入賞案内部７７は、第１入球口７０、第２入球口７１又は第３入球口７２のいずれかから入球した遊技球を第２始動入賞口１２３に向けて案内するためのものである。この第２始動入賞案内部７７は、前カバー部材６１の裏面から後側に向けて形成されている。また、第２始動入賞案内部７７は、第２下壁部６９と連続的に形成されている。なお、本実施の形態では、第２始動入賞案内部７７は、第２下壁部６９と連続的に形成されているが、これらは別体として形成されていてもよい。
【００３７】
送出口７８は、第１入球口７０、第２入球口７１又は第３入球口７２のいずれかから入球した遊技球を入球空間７３から再度遊技領域１６へ送出するためのものである。この送出口７８は、上記した第１入球口７０、第２入球口７１又は第３入球口７２のいずれかから入球した遊技球を第１始動入賞装置３３の外部である遊技領域１６内に送出させることが可能な幅寸法を有する大きさに形成されている。送出口７８は、第１始動入賞案内部７６と第２始動入賞案内部７７との間に形成されている。即ち、第１始動入賞口１２１及び第２始動入賞口１２３が所定間隔をあけて隣接するように形成されており、送出口７８は、これら第１始動入賞口１２１及び第２始動入賞口１２３の間に形成されている。なお、本実施の形態では、送出口７８は、第１始動入賞案内部７６と第２始動入賞案内部７７との間に形成されているが、入球空間７３内の遊技球を第１始動入賞装置３３の外部へ送出することができれば、この位置に限定されるものではない。
【００３８】
始動入賞装置本体６２は、第１始動入賞装置用ベース部材３１の裏側から該第１始動入賞装置用ベース部材３１に取付固定されるように形成されている。図３及び図４に示すように、始動入賞装置本体６２は、前側に振分部９１及び入賞部９２が形成されている。また、始動入賞装置本体６２は、後側に発光基板６３及び裏カバー部材６４を取付固定することができるように構成されている。振分部９１は、始動入賞装置本体６２の前側において、該始動入賞装置本体６２の上部に位置するように形成されている。振分部９１には、左右方向の略中央部に凹部９３が形成されており、この凹部９３に後述する振分体９４が設置される。凹部９３は、後述する振分体９４を構成する振分部材１０１が回動可能で、かつ振分体９４を構成する規制部材１０２が取付可能な大きさに形成されている。また、この凹部９３の略中央には、第２軸受部９５及び規制部材取付部９６が形成されている。第２軸受部９５は、回動軸９０の他端部を支持するためのものであり、この回動軸９０の他端部が挿入支持できる大きさに開口形成されている。規制部材取付部９６は、後述する規制部材１０２を取付固定するためのものである。本実施の形態では、規制部材取付部９６は、規制部材１０２に形成された固定ピン１１１が嵌合可能な孔として形成されているが、これに限定されるものではない。また、振分部９１には、裏側に維持部材としての磁石９８を配置するための維持部材設置部９７が形成されている。通常は、この維持部材設置部９７に維持部材を構成する磁石９８が配置されている。
【００３９】
入賞部９２は、始動入賞装置本体６２において、振分部９１の下方に位置するように配置されている。この入賞部９２には、裏カバー部材６４を構成する後述する第１始動入賞口形成部１１９との干渉を防止する第１干渉防止孔９９と、第２始動入賞口形成部１２０との干渉を防止する第２干渉防止孔１００とが開口形成されている。
【００４０】
回動軸９０は、後述する振分部材１０１を回動自在に支持するためのものである。この回動軸９０は、本実施の形態では金属製の軸部材を用いているが、振分部材１０１を回動可能に支持することができれば、金属以外のものを用いて形成してもよい。
【００４１】
振分体９４は、振分部材１０１及び規制部材１０２を備えている。振分部材１０１は、回動軸９０を軸中心として所定角度だけ回動することができるように始動入賞装置本体６２に配置されている。この振分部材１０１は、第１入球口７０から入球した遊技球を第１始動入賞案内部７６、第２始動入賞案内部７７又は送出口７８のいずれかに振り分けるためのものである。この振分部材１０１は、第１球受け片１０３、第２球受け片１０４及びこれら第１球受け片１０３及び第２球受け片１０４の間に形成された中間球受け片１０５を有している。また、振分部材１０１には、第１球受け片１０３と中間球受け片１０５との間に第１受入部１０６が形成され、第２球受け片１０４と中間球受け片１０５との間に第２受入部１０７が形成されている。第１受入部１０６及び第２受入部１０７は、第１入球口７０から入球した遊技球を受け入れることができるように形成されている。また、振分部材１０１には、回動軸９０が挿通可能に形成された回動軸孔１０８が貫通形成されている。
【００４２】
振分部材１０１は、回動軸孔１０８に挿通された回動軸９０を中心として、第１姿勢と第２姿勢との間で回動しつつ変位することができるように構成されている。ここで、第１姿勢は、第１受入部１０６に受け入れた遊技球を第１始動入賞口１２１側、即ち第１始動入賞案内部７６に向けて案内する姿勢であり、第２姿勢は、第２受入部１０７に受け入れた遊技球を第２始動入賞口１２３側、即ち第２始動入賞案内部７７に向けて案内する姿勢である。また、振分部材１０１には、裏面側から表面側に向けて維持部材としての磁石１０９を配置することが可能な大きさに形成された維持部材導入孔１１０が形成されている。この磁石は、始動入賞装置本体６２に設けられた磁石と反発し合うように設けられており、振分部材１０１が少なくとも第１姿勢又は第２姿勢となっている時に、この第１姿勢又は第２姿勢のいずれかの状態を維持することができるように構成されている。
【００４３】
規制部材１０２は、振分部材１０１が第１姿勢を超える位置又は第２姿勢を超える位置への回動を規制するためのものである。この規制部材１０２は、始動入賞装置本体６２の振分部９１において、振分部材１０１の下方に位置するように設けられている。この規制部材１０２には、始動入賞装置本体６２の前面と対向する対向面側の端部に、始動入賞装置本体６２に形成されている規制部材取付部９６と嵌合可能な固定ピン１１１が形成されており、この固定ピン１１１を規制部材取付部９６に嵌めることで、凹部９３内における規制部材１０２の位置決めを行うことができるように構成されている。なお、規制部材１０２は、上記した固定ピン１１１と規制部材取付部９６によって位置決めが行われ、固定ピン１１１が形成されていない他端部を前カバー部材６１の裏面側に形成された規制部材支持部７５で支持することにより固定される。
【００４４】
規制部材１０２は、第１球受け片１０３と当接する第１当接面１１３及び第２球受け片１０４と当接する第２当接面１１４を有している。また、規制部材１０２には、第１当接面１１３及び第２当接面１１４の間に、これら第１当接面１１３及び第２当接面１１４の高さ位置よりも上部に盛り上がるように形成された隆起部１１５が形成されている。
【００４５】
発光基板６３は、所定個数のＬＥＤ等のような発光部材が基板に設けられたもので、遊技機１における遊技の状態に応じて発光するように構成されている。この発光基板６３は、始動入賞装置本体６２の後側に取付固定されている。また、発光基板６３には、裏カバー部材６４を構成する後述する第１始動入賞口形成部１１９との干渉を防止するための第１逃げ孔１１６と、第２始動入賞口形成部１２０との干渉を防止するための第２逃げ孔１１７とが開口形成されている。なお、本実施の形態では、発光基板６３として、ＬＥＤ等を基板に設けたものを使用しているが、これに限定されるものではない。
【００４６】
裏カバー部材６４は、裏カバー基板１１８、第１始動入賞口形成部１１９及び第２始動入賞口形成部１２０を備えている。裏カバー基板１１８は、裏カバー部材６４のベースとなる部材であり、始動入賞装置本体６２の裏側において、発光基板６３を間に挟むようにして該始動入賞装置本体６２にネジ止め等によって取付固定されるように形成されている。第１始動入賞口形成部１１９は、裏カバー基板１１８の表面から前側に向けて形成されている。この第１始動入賞口形成部１１９は、表面側に第１始動入賞口１２１が開口形成しており、この第１始動入賞口１２１から後側に向けて、遊技球が転動可能に形成された第１転動部１２２が内部に形成されている。第２始動入賞口形成部１２０は、裏カバー基板１１８の表面から前側に向けて形成されている。この第２始動入賞口形成部１２０は、表面側に第２始動入賞口１２３が開口形成しており、この第２始動入賞口１２３から後側に向けて、遊技球が転動可能に形成された第２転動部１２４が内部に形成されている。
【００４７】
図１に示すように、大入賞装置２２は、遊技盤１１において演出装置１２の下方であって遊技盤１１の左右方向中央よりも右側にネジ止め等の方法で取付固定されている。大入賞装置２２は、大入賞装置用ベース部材に大入賞口（図示せず）が開口形成されると共に、この大入賞口を開閉する扉部材１３２が大入賞装置用ベース部材に開閉自在に取り付けられている。遊技機１では、上記した大当り抽選に当選して特別遊技状態に移行した場合に、所定個数（例えば１０個）の遊技球が入賞するか、又は所定時間（例えば３０秒）が経過するまでの間、扉部材１３２が開いて大入賞口に遊技球が入賞し、その入賞した遊技球の数に対応した数の賞球を払い出す。
【００４８】
通過ゲート２３は、遊技盤１１の上下方向の略中央であって該遊技盤１１の左右方向中央よりも右側にネジ止め等の方法で取付固定されている。通過ゲート２３は、遊技球が通過可能な大きさに形成された通過入賞口（図示せず）を有している。遊技球が通過入賞口を通過すると、予め定められた確率の下で抽選を行う。抽選の結果は、遊技盤１１の下部に設けられている普通図柄表示装置３５に表示される。
【００４９】
第２始動入賞装置ユニット２４は、遊技盤１１において通過ゲート２３と大入賞装置２２との間の高さ位置であって、遊技盤１１の左右方向中央よりも右側にネジ止め等の方法で取付固定されている。第２始動入賞装置ユニット２４は、第３始動入賞口１３８が形成されるとともに該第３始動入賞口１３８を開閉するための開閉扉１３３が設けられた第２始動入賞装置１３４、第２普通入賞口(図示せず)を有する第２普通入賞装置１３５、第３普通入賞口（図示せず）を有する第３普通入賞装置１３６が第２始動入賞装置用ベース部材１３７に設けられて構成されている。これら第３始動入賞口１３８、第２普通入賞口及び第３普通入賞口は、いずれも遊技球が入賞可能な大きさに開口形成されている。遊技機１では、第２始動入賞口１２３に遊技球が入賞すると、特別遊技状態に移行するか否かを抽選する大当り抽選を行う。大当り抽選の結果は、普通図柄表示装置３５とともに遊技盤１１の下部に設けられている特別図柄表示装置３６で表示する。
【００５０】
次に、本実施の形態に係る遊技機の第１始動入賞装置の作用を図５〜図７に基づいて説明する。まず、本実施の形態に係る遊技機に関して、第１始動入賞口１２１に遊技球が入賞した場合と、第２始動入賞口１２３又は第３始動入賞口１３８に遊技球が入賞した場合との相違について説明する。本実施の形態に係る遊技機では、第１始動入賞口１２１に遊技球が入賞した場合も、第２始動入賞口１２３又は第３始動入賞口１３８に遊技球が入賞した場合も、遊技者に有利な特別遊技状態へ移行するか否かを抽選する大当り抽選が行われ、その時の大当り抽選において特別遊技状態へ移行する確率、確率変動の確率は同じに設定されている。しかし、第１始動入賞口１２１に遊技球が入賞した場合と第２始動入賞口１２３又は第３始動入賞口１３８に遊技球が入賞した場合とでは、特別遊技状態におけるラウンド数を抽選する確率が異なるように設定されている。即ち、遊技機１では、第１始動入賞口１２１に遊技球が入賞した場合には、特別遊技状態において１５ラウンドの遊技が行われる確率は例えば１０％と設定され、２ラウンドの遊技が行われる確率は例えば９０％と設定されている。これに対し、遊技機１では、第２始動入賞口１２３又は第３始動入賞口１３８に遊技球が入賞した場合には、特別遊技状態において１５ラウンドの遊技が行われる確率は例えば１００％と設定され、２ラウンドの遊技が行われる確率は例えば０％と設定されている。
【００５１】
本実施の形態に係る遊技機の第１始動入賞装置３３では、第１入球口７０に遊技球が入球する時は、振分部９１が図６に示す第１姿勢又は図７に示す第２姿勢となっている。ここでは、第１始動入賞装置３３が図６に示す第１姿勢になっている例を挙げて説明する。図６に示すように、第１始動入賞装置３３が第１姿勢になっている場合には、第１球受け片１０３と中間球受け片１０５との間に形成された第１受入部１０６が第１入球口７０の下方に位置している。また、第２球受け片１０４は、該第２球受け片１０４の下面が規制部材１０２の第２当接面１１４に当接している。そのため、振分部材１０１が第１姿勢を越えた位置まで回動することなく、該第１姿勢を維持している。この時、振分部材１０１の維持部材導入孔１１０には磁石１０９が導入されており、また始動入賞装置本体６２の維持部材設置部９７には磁石９８が設けられている。これら磁石９８と磁石１０９とは、互いに反発し合うように設けられている。そのため、振分部材１０１が第１姿勢又は第２姿勢のいずれかの姿勢にあるときは、これら磁石９８と磁石１０９との反発力によって、その姿勢を維持している。
【００５２】
遊技者が遊技を開始すると、遊技領域１６内を遊技球が流下する。流下する遊技球の一部は、第１始動入賞装置３３に入賞する。図６に示すように、遊技球Ｓが第１始動入賞装置３３に入賞する時は、遊技領域１６内を流下した後に第１入球口７０に入球する。そして、第１入球口７０に入球した遊技球は、該第１入球口７０と対向するように配置されている第１受入部１０６に受け入れられる。
【００５３】
第１受入部１０６に受け入れられた遊技球Ｓは、第１受入部１０６内にて第１球受け片１０３と当接する。そして、遊技球Ｓが第１球受け片１０３と当接すると、遊技球Ｓに作用する力の一部が第１球受け片１０３に作用する。この時、遊技球Ｓによって第１球受け片１０３に作用する力の大きさは磁石９８と磁石１０９とにより作用する反発力の大きさよりも大きい。そのため、振分部材１０１の第１受入部１０６によって遊技球Ｓが受け入れられると、振分部材１０１は、回動軸９０を中心に図６中のＡ方向に回動する。
【００５４】
振分部材１０１は、第１受け片１０３の下面が規制部材１０２の第１当接面１１３に当接するまで回動する。本実施の形態によれば、このように第１始動入賞装置本体６２に規制部材１０２が設けられており、規制部材１０２に第１当接面１１３及び第２当接面１１４が形成されているので、振分部材１０１が回動を行う時に、振分部材１０１の下面と第１当接面１１３とが当接することで、第１姿勢を越える位置まで回動することを確実に防止することができ、第１姿勢を確実に維持することができる。同様に、振分部材１０１が回動を行う時に、振分部材の下面と第２当接面１１４とが当接することで、第２姿勢を越える位置まで回動することを確実に防止することができ、第２姿勢を確実に維持することができる。
【００５５】
振分部材１０１が図６に示す第１姿勢から図７に示す第２姿勢になるまで回動すると、第１受入部１０６において受け入れられた遊技球Ｓは、第１球受け片１０３の上面を転動して振分部材１０１の更に下方へ流下する。この時、遊技球は、第１流下経路を経て第１始動入賞口１２１に入賞するか、又は第３流下経路を経て送出口７８から第１始動入賞装置３３の外部へ送出されて、遊技領域１６内を再度流下する。第１受入部１０６から流下した遊技球Ｓが第１始動入賞口１２１へ入賞するか、又は送出口７８から送出されるかは、遊技球の流下の仕方による。したがって、第１入球口７０に遊技球Ｓが入球した場合であっても、遊技球Ｓが第１始動入賞口１２１に入賞するとは限らず、送出口７８に送出される場合もある。そのため、遊技球Ｓが第１入球口７０に入球した後の遊技者の興趣を低下させず、より興趣を向上させることが可能になる。
【００５６】
振分部材１０１は、遊技球Ｓが第１流下経路Ｒ１又は第３流下経路Ｒ３を経て流下した後は、図７に示すように第２姿勢となり、上記した磁石９８と磁石１０９との反発力によって、第２姿勢が維持される。この時、第１入球口７０の下方には、第２受入部１０７が位置している。この状態となっている時に遊技球Ｓが第１入球口７０から入球すると、その入球した遊技球は第２受入部１０７に受け入れられる。第２受入部１０７に受け入れられた遊技球Ｓは、第２受入部１０７内において第２球受け片１０４と当接する。そして、遊技球Ｓが第２球受け片１０４と当接すると、遊技球Ｓに作用する力の一部が第２球受け片１０４に作用する。この時、遊技球Ｓによって第２球受け片１０４に作用する力の大きさは磁石９８と磁石１０９とにより作用する反発力の大きさよりも大きい。そのため、振分部材１０１の第２受入部１０７に遊技球Ｓが受け入れられると、振分部材１０１は、回動軸９０を中心に図７中のＢ方向に回動する。
【００５７】
振分部材１０１が図７に示す第２姿勢から図６に示す第１姿勢になるまで回動すると、第２受入部１０７に受け入れられた遊技球Ｓは、第２球受け片１０４の上面を転動して振分部材１０１の更に下方へ流下する。この時、遊技球Ｓは、第２流下経路Ｒ２を経て第２始動入賞口１２３に入賞するか、又は第３流下経路Ｒ３を経て送出口７８から第１始動入賞装置３３の外部へ送出されて、遊技領域１６内を再度流下する。第２受入部１０７から流下した遊技球Ｓが第２始動入賞口１２３に入賞するか、又は送出口７８から送出されるかは、遊技球Ｓの流下の仕方による。したがって、第１入球口７０に遊技球Ｓが入球した場合であっても、遊技球Ｓが第２始動入賞口１２３に入賞するとは限らず、送出口７８に送出される場合もある。そのため、遊技球Ｓが第１入球口７０に入球した後の遊技者の興趣を低下させることなく、更により興趣を向上させることが可能になる。
【００５８】
また、本実施の形態に係る遊技機１における第１始動入賞装置３３は、振分部材１０１が第１姿勢と第２姿勢との間で回動するので、遊技球Ｓが第３流下経路Ｒ３を経て送出口７８から送出されない場合には、第１入球口７０から入球した遊技球Ｓは、第１流下経路Ｒ１を経て第１始動入賞口１２１に入賞するものと、第２流下経路Ｒ２を経て第２始動入賞口１２３に入賞するものとが交互に振り分けられる。したがって、本実施の形態に係る遊技機１における第１始動入賞装置３３によれば、第１始動入賞口１２１に入賞することにより行われる大当り抽選と、第２始動入賞口１２３に入賞することにより行われる大当り抽選とが交互に行われることになる。上記した通り、第１始動入賞口１２１に入賞することにより行われる大当り抽選と、第２始動入賞口１２３に入賞することにより行われる大当り抽選とでは、特別遊技状態に移行した後のラウンド数の当選確率が異なるように設定されているため、ただ単に第１始動入賞口１２１に遊技球を入賞させて特別遊技状態における遊技を行い、その後第２始動入賞口１２３に遊技球を入賞させるといった遊技を行う場合に比べて、遊技者の興趣をより効果的に増加させることが可能になる。
【００５９】
また、図６及び図７に示すように、本実施の形態に係る遊技機１の第１始動入賞口３３は、第１入球口７０よりも下流側の位置に第２入球口７１及び第３入球口７２が形成されている。したがって、遊技領域１６を流下する遊技球が第１入球口７０に入球しなかった場合であっても、第２入球口７１又は第３入球口７２のいずれかから入球する可能性もある。特に、第２入球口７１は第１始動入賞口１２１と隣接するように設けられ、第３入球口７２は第２始動入賞口１２３と隣接するように設けられているため、第２入球口７１から入球した遊技球Ｓは第１始動入賞口１２１に入賞するかもしれないという期待感、第３入球口７２から入球した遊技球Ｓは第２始動入賞口１２３に入賞するかもしれないという期待感を遊技者に抱かせることができ、遊技の興趣をさらにより向上させることが可能になる。
【００６０】
特に、第３入球口７２から遊技球Ｓが入球する場合には、その流下する遊技球Ｓは第２アウト口３４に流入する可能性も有しているため、遊技者にとっては、第２アウト口３４に流入する遊技球Ｓが第３入球口７２に入球することも想定することができる。そのため、第２アウト口３４の近傍に遊技球Ｓが流下した場合であっても、遊技者に対して、まだ入賞の可能性があることを視認させることができ、これによって遊技の興趣をさらに大幅に増加させることが可能になる。
【００６１】
以上、本発明に係る遊技機の実施の形態について詳細に説明したが、本明細書に記載した遊技機の構成及び作用効果は、本発明に係る遊技機に関する一つの例を示したに過ぎず、これに限定させるものではない。また、本発明に係る遊技機においては、本発明の趣旨を逸脱しない範囲において、適宜その構成を変更してもよい。
【符号の説明】
【００６２】
１  遊技機
１１  遊技盤
１２  演出装置
１５  案内レール
１６  遊技領域
２１  第１始動入賞装置ユニット
２６  第１アウト口
３３  第１始動入賞装置
３４  第２アウト口
３９  振分部導入孔
４０  入賞部導入孔
４２  底部
４３  第１の面
４４  第２の面
４５  段差部
６２  始動入賞装置本体
７０  第１入球口
７１  第２入球口
７２  第３入球口
７８  送出口
９０  回動軸
９４  振分体
９８，１０９  磁石
１０１  振分部材
１０２  規制部材
１０３  第１球受け片
１０４  第２球受け片
１０５  中間球受け片
１０６  第１受入部
１０７  第２受入部
１１３  第１当接面
１１４  第２当接面
１２１  第１始動入賞口
１２３  第２始動入賞口
【図１】
2015073683.tif 000003
【図２】
2015073683.tif 000004
【図３】
2015073683.tif 000005
【図４】
2015073683.tif 000006
【図５】
2015073683.tif 000007
【図６】
2015073683.tif 000008
【図７】
2015073683.tif 000009